(57)【要約】【課題】押え部材のねじ込みによって、レンズが光軸を中心として回転し、レンズ同士又はレンズとレンズ保持体との相対角度がずれることを防止できるレンズユニット及び撮像装置を提供する。【解決手段】複数のレンズ１０と、複数のレンズ１０を保持し、外周にねじ部２４が形成された鏡筒２１と、鏡筒２１のねじ部２４に螺合して複数のレンズ１０を光軸方向に押圧する環状の押え部材３とを備え、複数のレンズ１０のうち一のレンズ１２（又は１４）が第１の係合部４１（又は４４）を有し、レンズ保持体２が、第１の係合部４１（又は４４）に係合して、光軸を中心として一のレンズ１２（又は１４）に対するレンズ保持体２の回転を規制する第２の係合部５１（又は５２）を有する構成とした。【選択図】図１
2011048123.tif 000002
【特許請求の範囲】
【請求項１】
複数のレンズと、
前記複数のレンズを保持し、外周にねじ部が形成されたレンズ保持体と、
前記レンズ保持体の前記ねじ部に螺合し、前記複数のレンズを光軸方向に押圧する環状の押え部材とを備え、
前記複数のレンズのうち一のレンズが第１の係合部を有し、
前記レンズ保持体、又は前記一のレンズに隣り合う他のレンズが、前記第１の係合部に係合して、光軸を中心とした前記一のレンズに対する前記レンズ保持体又は前記他のレンズの回転を規制する第２の係合部を有することを特徴とするレンズユニット。
【請求項２】
前記第１の係合部及び前記第２の係合部のいずれか一方が、光軸方向に突出した凸形状であり、他方が前記凸形状に係合する凹形状であることを特徴とする請求項１記載のレンズユニット。
【請求項３】
前記凸形状の係合部は、前記レンズの周方向に少なくとも１つ設けられ、
前記凹形状の係合部は、前記レンズの周方向に周期的に複数設けられており、
前記凹形状の係合部が前記凸形状の係合部と同数以上設けられていることを特徴とする請求項２記載のレンズユニット。
【請求項４】
前記凸形状の係合部は、前記レンズの周方向に周期的に複数設けられ、
前記凹形状の係合部は、前記レンズの周方向に周期的に前記凸形状の係合部の倍数となるように複数設けられていることを特徴とする請求項２又は３に記載のレンズユニット。
【請求項５】
前記係合部を有する前記レンズが、プラスチックレンズ又はガラスモールドレンズであることを特徴とする請求項１乃至４のいずれか一項に記載のレンズユニット。
【請求項６】
請求項１乃至５のいずれか一項に記載のレンズユニットを含むことを特徴とする撮像装置。
【発明の詳細な説明】
【技術分野】
【０００１】
本発明は、複数のレンズを鏡筒に保持させたレンズユニット及びこのレンズユニットを備えた撮像装置に関するものである。
【背景技術】
【０００２】
従来から、レンズユニットは、デジタルスチルカメラ、携帯端末用小型カメラ、車載カメラ又は画像検査装置等の各種撮像装置に搭載されている。レンズユニットは、光学性能を向上させるために複数のレンズを鏡筒に保持させた構成を備えるものが多い。このレンズユニットは、複数のレンズを鏡筒の開口部から鏡筒内に順に収納した後、最後に収納したレンズを押え部材で押圧固定することにより組み付けられる。押え部材は、例えば特許文献１（特開２００５−０１７９５１号公報）に記載されるように、ねじ込み式のものが多く用いられている。
【０００３】
レンズは、理想的には光軸に回転対称な形状であることが求められるが、厳密には研磨や成型等による寸法精度のばらつきにより、微妙に光軸が偏芯していたり光軸が傾いていたりし、回転非対称の形状を有するものがある。特に、プラスチックレンズの場合は、成型時の樹脂の流動により内部に異方性が生じることがある。また、一度に複数個のプラスチックレンズを成型する場合には、各々の型において僅かながら形状、寸法に差が生じてレンズ特性にばらつきが生じることもある。
【０００４】
レンズユニットに入射した光は、複数のレンズを通って撮像素子上に結像されるが、個々のレンズの光軸に偏芯や傾きがあると、結像性能が低下してしまう可能性がある。
そこで、レンズの組み込み時に、光軸を中心とした回転方向におけるレンズの角度を調整して複数のレンズを組合せ、レンズ同士でバランスをとって光軸調整することが行なわれていた。
【先行技術文献】
【特許文献】
【０００５】
【特許文献１】特開２００５−０１７９５１号公報
【発明の概要】
【発明が解決しようとする課題】
【０００６】
しかしながら、レンズの組み込み時に光軸調整を行なって各レンズを挿入しても、最後にねじ込みによって押え部材を組み込むことで、意図に反してレンズが光軸中心に回転してしまうことがある。この回転により、レンズ同士又はレンズと鏡筒の相対角度がずれてしまい、レンズユニットの光軸精度が低下してしまう。
光軸を中心としたレンズの回転を防止するために、鏡筒にレンズを圧入したり、接着剤で鏡筒にレンズを固定することも考えられるが、レンズの側面と鏡筒の内面とを密着させてしまうと、熱膨張係数の差に起因する応力によりレンズユニットに不具合が生じてしまうことがある。また、レンズの組み込み時に、レンズを押さえるために専用の装置を用いることもできるが、費用が嵩んだり生産性が低下するおそれがある。
【０００７】
そのため本発明においては、押え部材のねじ込みによって、レンズが光軸を中心として回転し、レンズ同士又はレンズとレンズ保持体との相対角度がずれることを防止できるレンズユニット及び撮像装置を提供することを目的とする。
【課題を解決するための手段】
【０００８】
上記課題を解決するため、本発明に係るレンズユニットは、複数のレンズと、前記複数のレンズを保持し、外周にねじ部が形成されたレンズ保持体と、前記レンズ保持体の前記ねじ部に螺合し、前記複数のレンズを光軸方向に押圧する環状の押え部材とを備え、前記複数のレンズのうち一のレンズが第１の係合部を有し、前記レンズ保持体、又は前記一のレンズに隣り合う他のレンズが、前記第１の係合部に係合して、光軸を中心とした前記一のレンズに対する前記レンズ保持体又は前記他のレンズの回転を規制する第２の係合部を有することを特徴とする。
【０００９】
このレンズユニットによれば、第１の係合部と第２の係合部とを係合させることで、押え部材のねじ込みにより、第１の係合部を有する一のレンズと、第２の係合部を有するレンズ保持体又は他のレンズとが、光軸を中心として相対的に回転することを防止できる。したがって、押え部材のねじ込み前に調整したレンズユニットの光軸精度を維持できる。
【００１０】
また、前記第１の係合部及び前記第２の係合部のいずれか一方が、光軸方向に突出した凸形状であり、他方が前記凸形状に係合する凹形状であることが好ましい。
このように、光軸方向に凸形状又は凹形状を設けたため、係合部同士を確実に係合できる。また、係合部が凸形状又は凹形状であるため、回転方向のどちらの向きに対しても回転を係止できる。
【００１１】
ところで、レンズの光学特性は、製造するレンズの外形に影響される場合がある。これは、例えばプラスチックレンズのように、レンズ外形を精密な円形にすることに高度な技術が必要とされる場合には、レンズの外形に切り欠きを設けるなどして外形を変形させた場合、レンズ自体の光学性能が低下する可能性がある。
この点、上記したレンズユニットは、互いに係合する２つの係合部が、光軸方向に突出した凸形状と、これに対応した凹形状となっているため、レンズ外形は精密な円形状を維持したまま残すことができ、レンズの光学性能を高く維持できる。
なお、凸形状又は凹形状は、段差により形成された形状、座繰りにより形成された形状、曲面又は傾斜面により形成された形状、又はこれらを組み合わせた形状を含む。
【００１２】
また、前記凸形状の係合部は、前記レンズの周方向に少なくとも１つ設けられ、前記凹形状の係合部は、前記レンズの周方向に周期的に複数設けられており、前記凹形状の係合部が前記凸形状の係合部と同数以上設けられていることが好ましい。
このように、凹形状の係合部が、周方向に周期的に複数設けられていることにより、レンズとレンズ保持体、又はレンズ同士を最適な角度に調整することができ、レンズ単体の光軸の傾きや偏芯に起因するレンズユニットの光軸のぶれを補正しやすくなる。
【００１３】
さらにまた、前記凸形状の係合部は、前記レンズの周方向に周期的に複数設けられ、前記凹形状の係合部は、前記レンズの周方向に周期的に前記凸形状の係合部の倍数となるように複数設けられていることが好ましい。
このように、凸形状の係合部を複数設けることで、係合部による係止箇所が周方向に複数存在することとなり、レンズの回転方向の力に対する係合部の強度を高くすることができる。また、凸形状の係合部の倍数となるように凹形状の係合部を設けることにより、レンズとレンズ保持体、又はレンズ同士を最適な角度に調整することができ、レンズ単体の光軸の傾きや偏芯に起因するレンズユニットの光軸のぶれを補正しやすくなる。
【００１４】
また、前記係合部を有する前記レンズが、プラスチックレンズ又はガラスモールドレンズであることが好ましく、これにより係合部を簡単に形成することが可能となる。
また、上記構成を備えるレンズユニットを含む撮像装置とすることで、高い光学性能を有する撮像装置を提供できる。
【発明の効果】
【００１５】
本発明のレンズユニットによれば、第１の係合部と第２の係合部とを係合させることで、押え部材のねじ込みにより、第１の係合部を有するレンズと、第２の係合部を有するレンズ保持体又は他のレンズとが光軸を中心として相対的に回転することを防止できる。したがって、押え部材のねじ込み前に調整したレンズユニットの光軸精度を維持でき、光学性能を高くすることが可能である。
【図面の簡単な説明】
【００１６】
【図１】第１実施形態に係るレンズユニットの側断面図である。
【図２】第２レンズを結像面側から見た斜視図である。
【図３】第４レンズを結像面側から見た斜視図である。
【図４】鏡筒を被写体側から見た斜視図である。
【図５】第２実施形態に係るレンズユニットの側断面図である。
【図６】第２レンズを結像面側から見た斜視図である。
【図７】第３レンズを被写体側から見た斜視図である。
【図８】第３実施形態に係るレンズユニットの側断面図である。
【図９】スペーサを説明する図であり、（ａ）はスペーサを被写体側から見た斜視図、（ｂ）はスペーサを結像面側から見た斜視図である。
【図１０】第４レンズを被写体側から見た斜視図である。
【発明を実施するための形態】
【００１７】
以下、図面を参照して本発明の好適な実施例を例示的に詳しく説明する。但しこの実例に記載されている構成部品の形状等は、この発明の範囲をそれに限定する趣旨ではなく、単なる説明例に過ぎない。
【００１８】
（第１実施形態）
図１に示す第１実施形態のレンズユニット１は、主に、複数のレンズ１０と、これらのレンズ１０を保持するレンズ保持体２と、レンズ保持体２に螺合して複数のレンズ１０を押圧する押え部材３とにより構成される。
【００１９】
レンズ保持体２は、鏡筒２１と、鏡筒２１の内部に収納されるスペーサ（間隔環）２２とを含む。
鏡筒２１は、レンズ１０が挿入される第１の開口部２３を有し、第１の開口部２３側の外周にねじ部２４が形成されている。また、第１の開口部２３とは反対側の端部に、第１の開口部２３より径が小さい第２の開口部２５を有している。第２の開口部２５の周囲にはレンズ支持面２６が形成されている。
スペーサ２２は、円環状に形成され、鏡筒２１とレンズとの間の間隙に配置される。スペーサ２２は複数設けられる場合もあり、レンズ構成によってその形状、数及び配置が設定される。勿論、スペーサ２２を設けない構成としてもよい。
【００２０】
押え部材３は、開口部３１を有する環状に形成されている。押え部材３は内周にねじ加工が施されており、鏡筒２１のねじ部２４に螺合している。開口部３１の周囲には、鏡筒２１に保持された状態の複数のレンズ１０を光軸方向に押圧する押え面３２が設けられている。開口部３１は、最も被写体側に位置する第１のレンズ１１によって封止される。このとき、押え部材３と第１レンズ１１の間に、弾性部材で形成されたＯリング（不図示）が介装されていてもよい。尚、光軸方向は、レンズユニット１の光軸方向をいう。
【００２１】
複数のレンズ１０は、２以上のレンズが、光軸方向に配置された状態でレンズ保持体２に保持されている。鏡筒２１内で最も結像面側に位置する第４のレンズ１４はレンズ支持面２６に当接して支持され、最も被写体側に位置する第１のレンズ１１は押え部材３の押え面３２に当接し、押え部材３により光軸方向結像面側に押圧されることによって各レンズの光軸方向位置が固定されている。即ち、複数のレンズ１０は、光軸方向において隣り合うレンズ同士が、直接当接するか又はレンズ以外の光学素子（絞り５等）やスペーサ２２を介して連結されることにより、押え部材３による光軸方向の押圧力が伝わるようになっている。
【００２２】
各レンズは、ガラスレンズ、プラスチックレンズ又はガラスモールドレンズ等から適宜選択して用いられる。また、複数のレンズ１０とともに、レンズ以外の光学素子を配置することもできる。レンズ以外の光学素子とは、絞り５、光学フィルタ、プリズム等である。尚、複数のレンズ１０、又はレンズ以外の光学素子の数、種類及び組み合わせは限定されない。
【００２３】
図１に示される複数のレンズ１０は、レンズの組み合わせの一例である。
被写体側から順に、被写体側が凸で結像面側が凹の第１レンズ１１、結像面側が凹の第２レンズ１２、被写体側が凸の第３レンズ１３、絞り５、両凸で非球面のメニスカス状の第４レンズ１４が配置されている。ここでは、第１レンズ１１にはガラスレンズ、第２〜第４レンズ１２〜１４にはプラスチックレンズが用いられている。
【００２４】
また、レンズユニット１は、複数のレンズ１０のうち少なくとも一のレンズが第１の係合部を有するとともに、鏡筒２１が、第１の係合部に係合して、光軸を中心とした一のレンズと鏡筒２１との相対的な回転を規制する第２の係合部を有する構成となっている。
第１の係合部と、これに係合する第２の係合部からなる係止箇所は１箇所に限定されない。また、第１の係合部は、いずれのレンズに設けられていてもよい。
さらに、レンズが有する第１の係合部は、光軸方向に垂直な面でレンズが他の部材と当接する当接面以外に設けるようにしてもよい。これは、レンズの当接面で精度を必要とする場合、レンズの当接面の面積を確保することで精度を維持するためである。
【００２５】
上記構成により、第１の係合部と第２の係合部とを係合させることで、押え部材３のねじ込みにより、第１の係合部を有する一のレンズと、第２の係合部を有する鏡筒２１とが、光軸を中心として相対的に回転することを防止できる。したがって、押え部材３のねじ込み前に調整したレンズユニット１の光軸精度を維持できる。
【００２６】
図１に示すレンズユニット１では、第２レンズ１２と第４レンズ１４の２つのレンズに第１の係合部４１、４４が設けられた構成を例示している。即ち、第２レンズ１２が第１の係合部４１を有し、鏡筒２１が、第１の係合部４１と係合する第２の係合部５１を有している（図１のＡ部位）。また、第４レンズ１４が第１の係合部４４を有し、鏡筒２１が、第１の係合部４４と係合する第２の係合部５２を有している（図１のＢ部位）。
【００２７】
図２乃至図４を参照して、上記係合部の具体的な構成を説明する。
図２は、第２レンズ１２を結像面側から見た斜視図である。第２レンズ１２には、その周縁部に、光軸方向にくぼんだ凹形状の第１係合部４１が形成されている。
図３は、第４レンズ１４を結像面側から見た斜視図である。第４レンズ１４には、その周縁部に、光軸方向にくぼんだ凹形状の第１係合部４４が形成されている。
【００２８】
図４は、鏡筒２１を被写体側から見た斜視図である。鏡筒２１には、その内周に、光軸方向に突出した凸形状の第２の係合部５１、５２が形成されている。
鏡筒２１の第２の係合部５１は、第２レンズ１２の第１の係合部４１と係合して、鏡筒２１と第２レンズ１２の、光軸を中心とした相対的な回転を規制する。
鏡筒２１の第２の係合部５２は、第４レンズ１４の第１の係合部４４と係合して、鏡筒２１と第４レンズ１４の、光軸を中心とした相対的な回転を規制する。
なお、図２乃至図４には、第１の係合部４１、４４が凹形状で、第２の係合部５１、５２が凸形状の場合を示したが、これに限定されるものではなく、第１係合部及び第２係合部のいずれか一方が、光軸方向に突出した凸形状で、他方がこの凸形状に係合する凹形状であればよい。
【００２９】
このように、第１係合部及び第２係合部のいずれか一方を凸形状とし、他方を凹形状とすることにより、係合部同士を確実に係合でき、且つ回転方向のどちらの向きに対しても回転を係止できる。さらに、第１係合部及び第２係合部が上記構成を備えることにより、レンズ外形は精密な円形状を維持したまま残すことができ、レンズの光学性能を高く維持できる。
なお、凸形状又は凹形状は、段差により形成された形状、座繰りにより形成された形状、曲面又は傾斜面により形成された形状、又はこれらを組み合わせた形状を含む。
【００３０】
また、凹形状の係合部は、図３に示す第１の係合部４４のように、周方向に１箇所だけ設けられていてもよいし、図２に示す第１の係合部４１のように、周方向に周期的に複数設けられていてもよい。第１の係合部４１が周方向に周期的に複数設けられていると、第２レンズ１２と鏡筒２１との相対角度を最適な角度に調整することができる。ここで、最適な角度とは、レンズユニット１の光軸精度が高くなる角度である。
さらに、凹形状の係合部を複数設ける場合のピッチ角度は、１８０°、９０°、４５°、３０°のいずれかであることが好ましい。この角度にそって、係合部を有するレンズと鏡筒２１との角度を調整することで、レンズ単体の光軸の傾きや偏芯に起因したレンズユニット１の光軸のぶれを補正しやすくなる。
【００３１】
また、図示は省略するが、凸形状の係合部を複数設けるようにしてもよい。この場合、凸形状の係合部は、レンズの周方向に周期的に複数設けられ、これに係合する凹形状の係合部は、レンズの周方向に周期的に且つ凸形状の係合部の倍数となるように複数設けられる。
このように、凸形状の係合部が複数設けられていることで、係合部による係止箇所が複数存在することとなり、光軸を中心としたレンズの回転方向の力に対する係合部の強度を高くすることができる。また、凸形状の係合部の倍数となるように凹形状の係合部を設けることで、レンズと鏡筒２１との角度調整により、レンズ単体の光軸の傾きや偏芯に起因するレンズユニット１の光軸のぶれを補正しやすくなり、レンズと鏡筒２１との相対角度を最適な角度に調整することができる。
【００３２】
上記したように、凹形状の係合部を複数有するレンズユニット１において、光軸を中心としたレンズの角度調整は以下のように行なわれる。
一つの方法として、第１の係合部を有するレンズを、基準となるレンズに対して角度調整する場合（レンズ同士の角度調整の場合）、第１の係合部又はこれに係合する第２の係合部として、凹形状の係合部を周方向に周期的に複数設けておく。
基準となるレンズ（以下、基準レンズと称する）が先に鏡筒２１に収納される場合には、収納された基準レンズに対して、第１の係合部を有するレンズの角度が所定の角度となるような係合部を複数の係合部から選択し、レンズを収納する。所定の角度とは、レンズユニット１の光軸精度が高くなる角度である。このとき、光軸の検査装置等により、光軸精度を確認しながらレンズを組み込むようにしてもよい。上記した手順により所望の光軸精度が得られない場合には、異なる角度の係合部を選択し直して、光軸精度が高くなるように設定するとよい。
【００３３】
基準レンズが、第１の係合部を有するレンズより後で鏡筒２１に収納される場合には、第１の係合部を有するレンズと基準レンズとの相対角度を予め決めておき、これに対応した凹形状の係合部に凸形状の係合部を係合させて、レンズを収納する。
基準となるレンズは、レンズユニット１の光学性能に与える影響が大きいレンズであることが好ましい。また、基準となるレンズが、第１の係合部を有していてもよい。
【００３４】
他の方法として、第１の係合部を有するレンズを、鏡筒２１に対して角度調整する場合（レンズと鏡筒２１の角度調整の場合）、第１の係合部又はこれに係合する第２の係合部として、凹形状の係合部を周方向に周期的に複数設けておく。
鏡筒２１に対して、第１の係合部を有するレンズの角度が所定の角度となるような係合部を複数の係合部から選択し、レンズを収納する。これは、鏡筒２１のレンズ支持面２６が、許容誤差内で傾いている場合に好適に用いられる。第１の係合部を有するレンズを、鏡筒２１に対して所定の角度で保持させることで、レンズ支持面２６の傾きとレンズ単体の光軸の傾きとのバランスをとってレンズユニット１の光軸精度を高くすることができる。
【００３５】
さらに、係合部を有するレンズが、プラスチックレンズ又はガラスモールドレンズであることが好ましく、これにより係合部を簡単に形成することが可能となる。射出成形により製造されるプラスチックレンズは、加工が容易で、且つ安価なコストで製造することができるため、係合部を有するレンズに適している。一方、ガラスモールドレンズは、加工が容易で且つ高い光学性能を有するため、係合部を有するレンズに適している。
【００３６】
さらにまた、撮像装置に上記した構成を備えるレンズユニット１を搭載することで、光学性能が高い撮像装置を提供することができる。
特に、レンズユニット１は、車載カメラ等の耐環境性能が高い撮像装置に好適に用いられる。これは、使用温度範囲が広いレンズユニット１においては、レンズ１０とレンズ保持体２との熱膨張係数の差に起因して応力が発生してしまうため、レンズ保持体２にレンズ１０を圧入したり、接着したりすることができない。よって、一般に車載カメラでは、レンズ保持体２にレンズ１０を遊嵌した状態で保持している。しかし、この状態だとレンズの組み込み時に、押え部３のねじ込みによってレンズが回転してしまうおそれがある。そこで、本実施形態のレンズユニット１を用いることによって、レンズが光軸を中心として回転することを防止し、レンズ同士の相対位置がずれることを防ぐことによって、高い光学性能が得られる。
【００３７】
（第２実施形態）
図５に示す第２実施形態のレンズユニット１は、隣り合うレンズ同士に第１の係合部と第２の係合部を設けた構成となっている。
レンズユニット１は、主に、複数のレンズ１０と、これらのレンズ１０を保持するレンズ保持体２と、レンズ保持体２に螺合して複数のレンズ１０を押圧する押え部材３とにより構成される。
尚、以下の第２実施形態及び第３実施形態において、各部材の詳細な説明で、図１に示した第１実施形態と同一の構成についてはその記載を省略する。
【００３８】
このレンズユニット１は、複数のレンズ１０のうち少なくとも一のレンズが第１の係合部を有するとともに、この一のレンズに隣り合う他のレンズが、第１の係合部に係合して、光軸を中心とした一のレンズに対する他のレンズの回転を規制する第２の係合部を有する構成を備える。
第１の係合部と、これに係合する第２の係合部からなる係止箇所は１箇所に限定されない。また、第１の係合部はいずれのレンズに設けられていてもよく、第２の係合部は、第１の係合部を有するレンズに隣り合うレンズであればいずれのレンズであってもよい。
【００３９】
上記構成によれば、第１の係合部と第２の係合部とを係合させることで、押え部材３のねじ込みにより、第１の係合部を有する一のレンズと、第２の係合部を有する他のレンズとが、光軸を中心として相対的に回転することを防止できる。したがって、押え部材３のねじ込み前に調整したレンズユニット１の光軸精度を維持できる。
【００４０】
図５に示すレンズユニット１は、一例として、被写体側から順に第１レンズ１１、第２レンズ１２、第３レンズ１３、絞り５、第４レンズ１４が配置されたレンズ構成を備える。
また、このレンズユニット１は、第２レンズ１２に第１の係合部４６が設けられ、第３レンズ１３に、第１の係合部４６に係合する第２の係合部５４が設けられた構成となっている（図５のＣ部分）。
図６は、第２レンズ１２を結像面側から見た斜視図である。第２レンズ１２には、その周縁部に、光軸方向にくぼんだ凹形状の第１係合部４６が形成されている。
図７は、第３レンズ１３を被写体側から見た斜視図である。第３レンズ１３には、その周縁部に、光軸方向に突出した凸形状の第２係合部５４が形成されている。
【００４１】
第２レンズ１２の第１の係合部４６は、第３レンズ１３の第２の係合部５４と係合して、第２レンズ１２と第３レンズ１３の、光軸を中心とした相対的な回転を規制する。したがって、押え部材３のねじ込み前に調整したレンズユニット１の光軸精度を維持できる。
なお、図５乃至図７には、第１の係合部４６が凹形状で、第２の係合部５４が凸形状の場合を示したが、これに限定されるものではなく、第１係合部及び第２係合部のいずれか一方が、光軸方向に突出した凸形状で、他方がこの凸形状に係合する凹形状であればよい。また、凸形状の係合部及び凹形状の係合部の構成は、第１実施形態と同一である。
【００４２】
（第３実施形態）
図８に示す第３実施形態のレンズユニット１は、第１の係合部を一のレンズに設け、第２の係合部をスペーサ２２に設けた構成となっている。
レンズユニット１は、主に、複数のレンズ１０と、これらのレンズ１０を保持するレンズ保持体２と、レンズ保持体２に螺合して複数のレンズ１０を押圧する押え部材３とにより構成される。
【００４３】
このレンズユニット１は、複数のレンズ１０のうち少なくとも一のレンズが第１の係合部を有するとともに、スペーサ２２が、第１の係合部に係合して、一のレンズとスペーサ２２との光軸を中心とした相対的な回転を規制する第２の係合部を有する構成を備える。
これに加えて、スペーサ２２が第３の係合部を有し、鏡筒２１が、第３の係合部に係合して、スペーサ２２と鏡筒２１との光軸を中心とした回転を規制する第４の係合部を有した構成を備えている。
【００４４】
これにより、一のレンズがスペーサ２２を介して鏡筒２１に固定されることとなり、押え部材３のねじ込みにより、第１の係合部を有する一のレンズと、鏡筒２１とが、光軸を中心として相対的に回転することを防止できる。したがって、押え部材３のねじ込み前に調整したレンズユニット１の光軸精度を維持できる。
【００４５】
図８に示すレンズユニット１では、一例として、被写体側から順に第１レンズ１１、第２レンズ１２、第３レンズ１３、絞り５、第４レンズ１４が配置されたレンズ構成を備える。スペーサ２２は、第３レンズ１３及び絞り５と鏡筒２１との間に配置されている。
また、このレンズユニット１は、第２レンズ１２が第１の係合部４７を有し、スペーサ２２が、第１の係合部４７と係合して、第２レンズ１２とスペーサ２２との光軸を中心とした相対的な回転を規制する第２の係合部５５を有する構成となっている（図８のＤ部分）。
【００４６】
さらに、レンズユニット１は、スペーサ２２が第３の係合部６１を有するとともに、鏡筒２１が、第３の係合部６１に係合して、スペーサ２２と鏡筒２１との光軸を中心とした回転を規制する第４の係合部６２を有する構成となっている（図８のＥ部分）。
第３の係合部６１及び第４の係合部６２は、いずれか一方が光軸方向に突出した凸形状であり、他方が、この凸形状に係合する凹形状であってもよい。
さらにまた、第４レンズ１４が第１の係合部４８を有し、スペーサ２２が、第１の係合部４８と係合して、第４レンズ１４とスペーサ２２との光軸を中心とした相対的な回転を規制する第２の係合部５６を有する構成となっている（図８のＦ部分）。
【００４７】
図９は、スペーサを説明する図であり、（ａ）はスペーサを被写体側から見た斜視図、（ｂ）はスペーサを結像面側から見た斜視図である。
図９（ａ）に示すように、スペーサ２２はその内周側に、光軸方向に突出した凸形状の第２の係合部５５を有している。第２の係合部５５は、周方向に周期的に複数設けられている。この第２の係合部５５は、第２のレンズ１２が有する第１の係合部４７（図８参照）に係合するようになっている。第１の係合部４７の構成は、図２で説明した第１の係合部４１と略同一である。
また、スペーサ２２はその結像面側に、光軸方向に突出した凸形状の第２の係合部５６を有している。第２の係合部５６は２箇所設けられており、この第２の係合部５６は、第４レンズ１４が有する第１の係合部４８と係合するようになっている。
図１０は、第４レンズ１４を被写体側から見た斜視図である。第４レンズ１４には、その周縁部に、光軸方向にくぼんだ凹形状の第１係合部４８が形成されている。第４レンズ１４の第１の係合部４８は、スペーサ２２の第２の係合部５６と係合して、第４レンズ１４とスペーサ２２の、光軸を中心とした相対的な回転を規制する。
【００４８】
また、図９に示すように、スペーサ２２はその外周側に、凹形状の第３の係合部６１を有している。第３の係合部６１は、図示されるように径方向又は光軸方向にくぼんだ凹形状としてもよいし、径方向又は光軸方向に突出した凸形状としてもよい。第４の係合部６２は、鏡筒２１の内周に形成され、第３の係合部６１に係合するように設けられている。
さらに、第３の係合部６１及び第４の係合部６２のうち、凹形状の係合部をスペーサ２２の外周方向に沿って周期的に複数設けていてもよい。図９（ｂ）は、スペーサ２２の外周方向に沿って、凹形状を有する第３の係合部６１を周期的に複数設けた構成となっている。この第３の係合部６１に係合するように、鏡筒２１の内周に第４の係合部６２を設ける。
さらにまた、第３の係合部６１及び第４の係合部６２のうち、凸形状の係合部及び凹形状の係合部をスペーサ２２の外周方向に沿って周期的に複数設けていてもよい。この場合、凹形状の係合部は、凸形状の係合部と同数以上設けられる。好ましくは、凹形状の係合部は、凸形状の係合部の倍数となるように複数設けられる。
【００４９】
上記構成により、第２レンズ１２の第１の係合部４７とスペーサ２２の第２の係合部５５とが係合することにより、第２レンズ１２とスペーサ２２が光軸を中心として相対的に回転することを防止できる。同様に、第４レンズ１４の第１の係合部４８とスペーサ２２の第２の係合部５６とが係合することにより、第４レンズ１４とスペーサ２２が光軸を中心として相対的に回転することを防止できる。
このように、スペーサ２２に対して第２レンズ１２と第４レンズ１４が回転止めされた構成を有することから、第２レンズ１２と第４レンズ１４が、光軸を中心として相対的に回転することを防止できる。
【００５０】
また、スペーサ２２の第３の係合部６１と鏡筒２１の第４の係合部６２とが係合しているため、第２レンズ１２及び第４レンズ１４が、鏡筒２１に対して光軸を中心として回転することを防止できる。
これにより、レンズユニットの光軸精度を高くすることが可能となる。
【符号の説明】
【００５１】
１    レンズユニット
２    レンズ保持体
３    押え部
１０  複数のレンズ
１１  第１レンズ
１２  第２レンズ
１３  第３レンズ
１４  第４レンズ
２１  鏡筒
２２  スペーサ（間隔環）
２３  第１の開口部
２４  ねじ部
２５  第２の開口部
２６  レンズ支持面
３１  開口部
３２  押え面
４１、４４、４６、４７、４８  第１の係合部
５１、５２、５４、５５、５６  第２の係合部
６１  第３の係合部
６２  第４の係合部
【図１】
2011048123.tif 000003
【図２】
2011048123.tif 000004
【図３】
2011048123.tif 000005
【図４】
2011048123.tif 000006
【図５】
2011048123.tif 000007
【図６】
2011048123.tif 000008
【図７】
2011048123.tif 000009
【図８】
2011048123.tif 000010
【図９】
2011048123.tif 000011
【図１０】
2011048123.tif 000012